(57)【特許請求の範囲】
【請求項１】
フォークリフトの左右２本のフォーク爪間に掛け渡す形で取り付けられる横フレームと、
両端に前記横フレームに着脱自在に取り付けられる掛け部を有し、使用時には、略中央部でＵ字状に折り返され、その折返し部において、吊上げ対象物である湾曲したコンクリート製品を吊り上げ、保持する２本の吊上げベルトと、
前記２本の吊上げベルトの両端の前記掛け部を、着脱自在に保持するよう前記横フレーム上の少なくとも２箇所に設けられた吊り具と、から構成され、
前記横フレームは、ウェブ部とこのウェブ部の両側に設けた一対のフランジ部とから成るＨ型鋼材を前記ウェブ部側を水平状態にして用い、前記ウェブ部側の下側に位置して前記各フランジ部側に前記各フォ−ク爪を挿通させるフォーク爪挿通孔を設けたことを特徴とする、湾曲したコンクリート製品の荷扱いのためのフォークリフト用アタッチメント。
【請求項２】
前記各フランジ部に設けられる吊り具の設置位置は、前記湾曲したコンクリート製品の曲率中心をＯとしたとき、法線Ｒ上に角度αだけオフセットした位置としたことを特徴とする、請求項１に記載の湾曲したコンクリート製品の荷扱いのためのフォークリフト用アタッチメント。
【請求項３】
請求項１又は２に記載のフォークリフト用アタッチメントを装備したフォークリフトにより、内周面及び外周面が略円筒状の曲面の一部から成る湾曲したコンクリート製品を吊り上げ、運搬する方法であって、
前記横フレームに設けた挿通孔へフォークリフトの左右２本のフォーク爪を挿通させて掛け渡す形で取り付け、これにより前記横フレーム及び左右２本のフォーク爪を一体化させる工程と、
前記湾曲したコンクリート製品を、前記略円筒状の曲面の母線が略鉛直となるような起立状態に保持する工程と、
前記２本の吊上げベルトのそれぞれの一方の掛け部を、フォークリフトのフォーク爪に取り付けた前記横フレーム上の別々の吊り具に取り付ける工程と、
前記２本の吊上げベルトのそれぞれのもう一方の掛け部を、前記起立状態に保持されたコンクリート製品の下をくぐらせ、横フレームに設けた別々の吊り具に取り付けることにより、前記吊上げベルトを略中央部でＵ字状に折り返した状態でコンクリート製品に装着すると共に、その装着位置について、２本の吊上げベルトがそれぞれ前記コンクリート製品を持ち上げる箇所を結ぶ幅の領域内にコンクリート製品の重心が位置するように調節する工程と、
フォークリフトのフォークを上昇させることにより、前記２本の吊上げベルトで前記コンクリート製品を所望の高さまで吊り上げ、その状態でフォークリフトを走行させてコンクリート製品を所望の場所まで運搬する工程と、
から構成されることを特徴とする、湾曲したコンクリート製品を吊り上げ、運搬する方法。
【発明の詳細な説明】
【技術分野】
【０００１】
本発明は、フォークリフト用アタッチメント及びこれを用いた荷扱い方法に関し、より具体的には、湾曲したコンクリート製品の荷扱いのためにフォークリフトに装備されるアタッチメント及びこれを装備したフォークリフトによる湾曲したコンクリート製品の吊り上げ、運搬方法に関するものである。
【背景技術】
【０００２】
フォークリフトは、フォークリフトトラックとも呼ばれ、動力付きの車体の前部にマストを備え、このマストに沿って荷物を持つためのフォークを上下動させ得るように構成した特殊車両であり、荷物の上げ下ろし及び運搬のために、工場、倉庫、集荷場、工事現場、等々において広く利用されている。
また、そのマストには、フォークだけでなく、荷物の形態や作業内容に応じてさまざまな種類のアタッチメントが取り付けられるようになっている。
例えば、下記特許文献１には、タイヤの積み付け装置として構成されたアタッチメントが開示されており、特許文献２及び３には、除雪用のアタッチメントが開示されており、更にまた、特許文献４には、ドラム缶荷役用のアタッチメントが開示されている。
【０００３】
然しながら、例えば、トンネルや大型排水溝の壁面を構成する湾曲したコンクリート製品、即ち、内周面及び外周面が略円筒状の曲面の一部から成る湾曲したコンクリート製品を取り扱うためのフォークリフト用アタッチメントは、これまでに提供されたことがなかった。
このような湾曲したコンクリート製品は、大型で大重量であり、しかも特殊な形状であるため、フォークリフトによる荷扱い時にバランスをとるのが難しく、バランスを崩すと製品が転倒したり落下したりして製品を破損するばかりでなく、非常に危険であった。
従って、このような湾曲したコンクリート製品のフォークリフトによる荷扱いは細心の注意が必要で手間がかかるという問題点があり、その荷扱いには、通常は大型のクレーン車等が利用されていた。
【先行技術文献】
【特許文献】
【０００４】
【特許文献１】特開平０５−１３９６９８号公報
【特許文献２】特開平１０−０８８５４３号公報
【特許文献３】特開２００５−２２０７１１号公報
【特許文献４】特開２０００−０１６７９２号公報
【発明の概要】
【発明が解決しようとする課題】
【０００５】
そこで、本発明の目的とするところは、前記の如き湾曲したコンクリート製品を安定した状態で吊り上げ、運搬することのできるフォークリフト用アタッチメントと、当該アタッチメントを装備したフォークリフトにより湾曲したコンクリート製品を安定して吊り上げ、運搬することのできる方法を提供せんとするにある。
なお、本発明において、「湾曲したコンクリート製品」というときは、必ずしもコンクリート製品のみに限定されるものではなく、全体的に湾曲した形状を有する重量物全般を広く包含するものである。
【課題を解決するための手段】
【０００６】
上記の目的を達成するため、本発明に係る湾曲したコンクリート製品の荷扱いのためのフォークリフト用アタッチメントは、
フォークリフトの左右２本のフォーク爪間に掛け渡す形で取り付けられる横フレームと、
両端に前記横フレームに着脱自在に取り付けられる掛け部を有し、使用時には、略中央部でＵ字状に折り返され、その折返し部において、吊上げ対象物である湾曲したコンクリート製品を吊り上げ、保持する２本の吊上げベルトと、
前記２本の吊上げベルトの両端の前記掛け部を、着脱自在に保持するよう前記横フレーム上の少なくとも２箇所に設けられた吊り具と、から構成され、
前記横フレームは、ウェブ部とこのウェブ部の両側に設けた一対のフランジ部とから成るＨ型鋼材を前記ウェブ部側を水平状態にして用い、前記ウェブ部側の下側に位置して前記各フランジ部側に前記各フォ−ク爪を挿通させるフォーク爪挿通孔を設けたことを特徴とする。
その際に本発明は、前記各フランジ部に設けられる吊り具の設置位置を、前記湾曲したコンクリート製品の曲率中心をＯとしたとき、法線Ｒ上に角度αだけオフセットした位置としたことを特徴とする。
【０００７】
また、前記の句適を達成するために本発明に係るフォークリフト用アタッチメントを装備したフォークリフトにより、内周面及び外周面が略円筒状の曲面の一部から成る湾曲したコンクリート製品を吊り上げて運搬する方法は、
前記横フレームに設けた挿通孔へフォークリフトの左右２本のフォーク爪を挿通させて掛け渡す形で取り付け、これにより前記横フレーム及び左右２本のフォーク爪を一体化させる工程と、
前記湾曲したコンクリート製品を、前記略円筒状の曲面の母線が略鉛直となるような起立状態に保持する工程と、
前記２本の吊上げベルトのそれぞれの一方の掛け部を、フォークリフトのフォーク爪に取り付けた前記横フレーム上の別々の吊り具に取り付ける工程と、
前記２本の吊上げベルトのそれぞれのもう一方の掛け部を、前記起立状態に保持されたコンクリート製品の下をくぐらせ、横フレームに設けた別々の吊り具に取り付けることにより、前記吊上げベルトを略中央部でＵ字状に折り返した状態でコンクリート製品に装着すると共に、その装着位置について、２本の吊上げベルトがそれぞれ前記コンクリート製品を持ち上げる箇所を結ぶ幅の領域内にコンクリート製品の重心が位置するように調節する工程と、
フォークリフトのフォークを上昇させることにより、前記２本の吊上げベルトで前記コンクリート製品を所望の高さまで吊り上げ、その状態でフォークリフトを走行させてコンクリート製品を所望の場所まで運搬する工程と、
から構成されることを特徴とする。
【発明の効果】
【０００８】
本発明に係る荷扱い用アタッチメントによるときは、略中央部でＵ字状に折り返した２本の吊上げベルトでコンクリート製品を持ち上げる際に、コンクリート製品への吊上げベルトの装着箇所である２箇所を結ぶ幅の領域内にコンクリート製品の重心が位置するように調節することにより、コンクリート製品はその重心で支えられたのと同等の状態となり、どちら側へも倒れることがなくなる。そのため、コンクリート製品と吊上げベルトとを更に別のロープ等で堅固に結び着けたりする必要がなく、単にＵ字状に折り返しただけのこの２本の吊上げベルトのみによって、安定した状態で湾曲したコンクリート製品を吊り上げ、運搬することが可能となるものである。従って、大型のクレーン車等を用いる必要もなく、作業効率が向上し、経費節減にも役立つものである。
【図面の簡単な説明】
【０００９】
【図１】本発明に係るフォークリフト用アタッチメントの一部を構成する横フレームの一実施例を示す説明図である。
【図２】本発明に係るフォークリフト用アタッチメントの一部を構成する２本の吊上げベルトの一実施例を示す説明図である。
【図３】フォークリフトのフォーク爪からの横フレームの脱落防止手段の一例を示す説明図である。
【図４】横フレームへの吊り具の取付け位置孔の望ましい設定位置を示す説明図である。
【図５】本発明に係るフォークリフト用アタッチメントを取り付けて利用する一般的なフォークリフトの例を示す説明図である。
【図６】本発明に係るフォークリフト用アタッチメントを、図５に示すフォークリフトに取り付けた状態を示す説明図である。
【図７】吊り上げ、運搬すべき湾曲したコンクリート製品を立て起こし、これに本発明に係るフォークリフト用アタッチメントを取り付ける過程を示す説明図である。
【図８】湾曲したコンクリート製品に本発明に係るフォークリフト用アタッチメントを装着した状態を示す説明図である。
【図９】湾曲したコンクリート製品への吊上げベルトの装着位置とコンクリート製品の重心との位置関係を示す説明図である。
【図１０】湾曲したコンクリート製品を吊り上げ、運搬する状態を示す説明図である。
【発明を実施するための形態】
【００１０】
以下、本発明に係るフォークリフト用アタッチメントの詳細を添付図面に基づいて説明する。
なお、本発明は、図示した実施例に限らず、各構成要素は、同等の機能を有する他の部材等により代替可能である。
【実施例】
【００１１】
本発明に係るフォークリフト用アタッチメントは、図１にその一例を示すような横フレーム１１と、図２に一例を示すような２本の吊上げベルト１２Ａ，１２Ｂと、前記横フレーム１１上に設けられる吊り具１１２ａ〜１１２ｄと、から構成される。
図６〜図８に示す如く、これらの構成要素から成るアタッチメント１０は、フォークリフト２０の一対のフォーク爪２６ａ，２６ｂに取り付けられ、湾曲したコンクリート製品３０を吊り上げ、運搬するのに好適に用いられる。
【００１２】
前記横フレーム１１は、図１に示した実施例の場合、そのフレーム部１１１は、とくに図３に示したように、ウェブ１１１ｃと、このウェブ部１１１ｃの両側に設けられたフランジ部１１１ｄ，１１１ｄから成るＨ形鋼材を利用し、そのウェブ部１１１ｃ側を水平状態にして作製されており、ウェブ１１１ｃ側の下側に位置して各フランジ部１１１ｄ，１１１ｄを貫通して、フォークリフト２０の前記一対のフォーク爪２６ａ，２６ｂを挿通するための挿通孔１１１ａ，１１１ｂが設けられている。また、フレーム部１１１の両端近くの各フランジ部１１１ｄ，１１１ｄには、下端部分にフックを取り付けたシャックル又はチェーンから成る吊り具１１２ａ〜１１２ｄが取り付けられている。フレーム部１１１の中央部の上辺近くにはワイヤロープ等から成る持ち手１１３が取り付けられ、横フレーム１１自体のクレーン等による持ち運びやフォークリフトへの取付け作業が容易なようになっている。
この横フレーム１１は、そのフォーク爪挿通孔１１１ａ，１１１ｂにフォークリフト２０の左右２本のフォーク爪２６ａ，２６ｂをそれぞれ挿通することにより、当該２本のフォーク爪間に掛け渡す形で取り付けられ、これにより横フレーム１１及び左右２本のフォーク爪２６ａ，２６ｂを一体化させ得るようになっている。
コンクリート製品の吊上げ、運搬等の作業中に、フォーク爪から横フレーム１１が脱落しないようにするために、例えば図３に示す如く、フォーク爪２６ａ及び２６ｂの先端近くにピン孔２６１を孔明け加工し、この孔に脱落防止ピン１１４を差し込むことにより横フレーム１１が抜け落ちるのを防止するようにする。或いはまた、フォークリフトが、左右のフォーク爪２６ａ、２６ｂの間隔を増減できるフォークシフターを装備している場合には、横フレーム１１のフォーク爪挿通孔１１１ａ，１１１ｂに差し込んだフォーク爪２６ａ、２６ｂを左右に広げることにより、横フレーム１１の脱落を或る程度まで防止できる。更にまた、横フレーム１１とフォーク爪２６ａ，２６ｂをネジ、シャコ万力等により固定したり、マストを前後に傾ける（チルト）ことが可能なフォークリフトの場合には、マストを幾分後方に傾け、フォーク爪の先端側が幾分持ち上がるようにフォーク爪を傾斜させることにより、横フレーム１１の脱落を防止するようにしてもよい。
【００１３】
図２に示した前記２本の吊上げベルト１２Ａ，１２Ｂは、どちらも同じ構成であるので、ここでは吊上げベルト１２Ａについてのみ説明する。
吊上げベルト１２Ａ（ロープよりベルトが望ましい。）としては、ナイロン繊維から成るナイロンスリング１２３で製品重量相当用のものを用い、その外側を長い袋状のカバー布１２４で包むと共に、両端の掛け部１２１ａ，１２１ｂには、リング又はシャックル１２２が取り付けられている。
カバー布１２４は、吊り上げ、運搬する対象物（湾曲したコンクリート製品）を傷つけないようにするためと、ナイロンスリングの摩耗を防止するためのものであり、リング又はシャックル１２２は吊上げベルト１２Ａを前記吊り具１１２ａ〜１１２ｄのフックに引っ掛けるためのものである。
これら２本の吊上げベルト１２Ａ，１２Ｂの長さは同一であるが、吊り上げ、運搬すべき対象物に応じて長さを変える必要がある場合もあるので、必要な長さの吊上げベルトを２本ずつ用意するものである。
【００１４】
横フレーム１１上の少なくとも２箇所に設けられる前記吊り具１１２ａ〜１１２ｄは、前記２本の吊上げベルト１２Ａ，１２Ｂの両端の掛け部１２１ａ，１２１ｂを、それぞれ着脱自在に保持するためのものである。図示した実施例のものは、いずれもチェーンの下端に外れ止め付きフックを取り付けたものであるが、その形態はこれに限らず、２本の吊上げベルト１２Ａ，１２Ｂの掛け部１２１ａ，１２１ｂを係止し得る構成であれば、各種形態のものを採用することが可能である。例えば、吊上げベルト１２Ａ，１２Ｂの両端の掛け部１２１ａ，１２１ｂに、リング１２２ではなくフックを取り付けた場合には、横フレーム１１側には、そのフレーム部１１１に当該フックを引っ掛ける孔を設けるようにしてもよく、その場合には、フレーム部１１１に明けた当該孔自体が吊り具となる。
なお、図示した実施例における横フレーム１１の左側の吊り具１１２ａ，１１２ｂと、右側の吊り具１１２ｃ，１１２ｄとの左右間の距離は、吊り上げ、運搬すべき湾曲したコンクリート製品に対して２本の吊上げベルト１２Ａ，１２Ｂを装着する位置に応じて適宜変更する必要がある。そのため、左右間隔が異なる２箇所以上の位置に予め吊り具を取り付けておくことが推奨される。或いはまた、左右の吊り具間の距離が異なる複数種類の横フレーム１１を用意しておき、コンクリート製品のサイズや形状に合わせて使い分けるようにしてもよい。
また、これらの吊り具１１２ａ〜１１２ｄの取付けのために横フレーム１１に設けられる位置孔は、コンクリート製品のサイズに応じて定められ、より好適には、製品の曲率に従い、その法線上に設けるのが望ましい。
この点につき、図４を参照しつつ説明すれば、横フレーム１１のフレーム部１１１上でフォーク爪２６ａ，２６ｂの軸方向Ｔに平行な位置（図中、黒い三角形印で示した位置）に上記位置孔を設けるのではなく、コンクリート製品の曲率中心をＯとしたとき、法線Ｒ上に角度αだけオフセットした位置（図中、黒い丸印で示した位置）に設けるようにするものである。これによって、吊上げベルト１２Ａ，１２Ｂが上記法線Ｒ上に掛けられ、コンクリート製品を安定して吊上げ可能となるものである。
【００１５】
図５には、本発明に係るフォークリフト用アタッチメントを取り付けて利用する一般的なフォークリフト２０が示されている。
このフォークリフト２０は、運転席２２を有する車体２１の前部にマスト２３を有し、左右一対のフォーク爪２６ａ，２６ｂを取り付けたフォーク取付けフレーム２５がマスト２３に沿って昇降せしめられるようになっている。ローラーチェーン２４は、フォーク取付けフレーム２５を昇降させるための駆動機構の一部であり、図では省略したスプロケットに巻き掛けられ、スプロケットの正逆回転によってフォーク取付けフレーム２５が昇降せしめられるようになっている。
【００１６】
図６〜図８には、図５に示すフォークリフト２０に、図１及び図２に示す本発明のアタッチメント１０を取り付け、これを用いて湾曲したコンクリート製品３０を吊り上げる作業工程が順次示されている。
本発明に係るアタッチメントは、まず図６に示すように、その横フレーム１１をフォークリフトのフォーク爪２６ａと２６ｂの間に掛け渡すように取り付けることにより、フォークリフトに装備される。即ち、前記の如く、フォークリフトのフォーク爪２６ａ，２６ｂを横フレーム１１のフォーク爪挿通孔１１１ａ，１１１ｂにそれぞれ差し込んだ後、ネジ等を用いて固定し、若しくはマスト２３を若干後方へ傾斜させて、横フレーム１１がフォーク爪２６ａ，２６ｂから脱落しないようにする。
然るのち、図示する如く、２本の吊上げベルト１２Ａ，１２Ｂのそれぞれの一方の掛け部１２１ａを、横フレーム１１に設けた別々の吊り具１１２ａ，１１２ｃに引っ掛けて取り付ける。
【００１７】
一方、吊り上げ、運搬すべき湾曲したコンクリート製品３０は、図７に示す如く、反転機等（図では省略）を用いて立て起こし、その下部を通じて吊上げベルト１２Ａ，１２Ｂのもう一方の掛け部１２１ｂを前方へ引き出すようにする。
即ち、本発明において荷扱いの対象となるコンクリート製品３０は、一般的に、その内周面３０ａと外周面３０ｂが略円筒状の曲面の一部から成る湾曲した形状を有するものであり、これを本発明のアタッチメントを用いて吊り上げる際には、前記略円筒状の曲面の母線３０ｅ（図７参照）が略鉛直となるように反転機等を用いて起立させ、その起立状態に保持されたコンクリート製品３０の下を、吊上げベルト１２Ａ，１２Ｂのもう一方の掛け部１２１ｂをくぐらせて前方へ引き出すようにする。
吊上げベルト１２Ａ，１２Ｂをコンクリート製品３０の下をくぐらせる作業を容易に行い得るように、起立させたコンクリート製品を反転機の基台４１〜４３などの上に一時的に載置し、コンクリート製品３０の下を明けておくようにする。
図示したコンクリート製品３０のように円弧状に湾曲した物品の場合、図示した如く、基本的に左右及び中央の３点を基台４１〜４３で支持することにより、製品が倒れることなく、安定的に起立状態を維持することができる。
【００１８】
次いで、上記の如く前方へ引き出した吊上げベルト１２Ａ，１２Ｂのもう一方の掛け部１２１ｂを、図８に示すように、横フレーム１１に設けた別々の吊り具１１２ｂ，１１２ｄに取り付けることにより、前記吊上げベルトを略中央部でＵ字状に折り返した状態でコンクリート製品３０に装着する。
その装着位置は、本発明に係る荷扱い方法の特徴とするところであるので、この点につき図９を参照して説明する。
図９は、円弧状に湾曲したコンクリート製品３０に吊上げベルト１２Ａ，１２Ｂを図８に示す如く装着した状態を、上から見た模式図として描いてある。
図示する如く、本発明においては、２本の吊上げベルト１２Ａ，１２Ｂが、湾曲したコンクリート製品３０を持ち上げる箇所を結ぶ幅Ｗの領域内にコンクリート製品の重心Ｇが位置するように２本の吊上げベルト１２Ａ，１２Ｂの装着位置を調節するものである。
吊上げベルトの装着位置をこのように調節することにより、コンクリート製品３０はその重心Ｇを支えられているのと同等の状態となり、内周面側又は外周面側のどちらへも自重によって倒れることはなくなる。そのため、コンクリート製品と吊上げベルトとを更に別のロープ等で堅固に結び着けたりする必要がなく、単にＵ字状に折り返しただけの２本の吊上げベルト１２Ａ，１２Ｂのみで、安定した状態で湾曲したコンクリート製品を吊り上げ、運搬することが可能となるものである。
即ち、上記の如く、幅Ｗの領域内にコンクリート製品３０の重心Ｇが位置することにより、コンクリート製品は自重で起立状態を維持するものであり、転倒モーメントが発生しなければ、自重のみで十分自立するものである。
なお、吊上げベルトの装着位置の調整作業が面倒にならないようにするには、製品の曲面の法線上にベルトの吊下げ位置を設定するようにすればよい。即ち、図９に示す如く、吊上げベルト１２Ａ，１２Ｂを懸ける向きが、フォーク爪の軸方向Ｔの向きではなく、コンクリート製品の曲率中心をＯとしたとき、法線Ｒ上に角度αだけオフセットした向きに設定するものである。そうすることにより、コンクリート製品の中心Ｏと、左右のフォーク爪の中心線とが大きくズレなければ、製品は自然に望ましい位置に納まり、多少のズレは、実際に吊上げ操作を行う際に、製品が自ら、吊上げ重心に入って来て、自立位置に保たれるものである。
従って、本発明によるときは大型のクレーン車等を用いる必要もなく、作業効率が向上し、経費節減にも役立つことになる。
【００１９】
上記の如く２本の吊上げベルト１２Ａ，１２Ｂを装着したコンクリート製品３０は、フォークリフト２０のマスト２３に沿ってフォーク取付けフレーム２５を引き上げることにより、図１０に示すように所望の高さまで持ち上げることができるので、その状態でフォークリフトを走行させ、コンクリート製品を所望の場所まで安定した状態で運搬することができる。
【００２０】
なお、本発明は前記実施例に限定されるものではなく、例えば、横フレーム１１は必ずしもＨ形鋼材を利用したものでなくてもよく、また、吊り具１１２ａ〜１１２ｄや、吊上げベルト１２Ａ，１２Ｂの掛け部１２１ａ，１２１ｂの構成も前記の如く他の形態のものとすることが可能であり、従って、本発明は特許請求の範囲に記載の技術的範囲内において、上記の説明から当業者が容易に想到し得るすべての変更実施例を包摂するものである。
【産業上の利用可能性】
【００２１】
以上詳細に説明したように、本発明は、フォークリフトのフォーク爪に取り付けられる横フレームと、これに取り付けられる吊上げベルトを用いて、湾曲したコンクリート製品を吊り上げる際、コンクリート製品への吊上げベルトの装着位置を本発明で規定する特定位置に限定することにより、コンクリート製品が傾き倒れるのを防止し、自重によって安定位置に保たれるよう構成したので、大型クレーン等を用いることなく、前記の如き湾曲したコンクリート製品を安定した状態で吊り上げ、運搬することのできるフォークリフト用アタッチメントと、当該アタッチメントを用いて湾曲したコンクリート製品を安定して吊り上げ、運搬することのできる方法を提供し得るものである。
なお、本発明に係るアタッチメントは、クレーン用アタッチメントとしても使用可能である。
【符号の説明】
【００２２】
１０    フォークリフト用アタッチメント
１１    横フレーム
１１１  Ｈ形鋼材から成るフレーム部
１１１ａ，１１１ｂ  フォーク爪挿通孔
１１２ａ〜１１２ｄ  吊り具
１１３  持ち手
１１４  脱落防止ピン
１２Ａ，１２Ｂ  吊上げベルト
１２１ａ，１２１ｂ  掛け部
１２２  リング
１２３  ワイヤロープ
１２４  カバー布
２０    フォークリフト
２１    車体
２２    運転席
２３    マスト
２４    ローラーチェーン
２５    フォーク取付けフレーム
２６ａ，２６ｂ  フォーク爪
２６１  ピン孔
３０    湾曲したコンクリート製品
３０ａ  内周面
３０ｂ  外周面
３０ｃ  上面
３０ｄ  下面
３０ｅ  母線
４１〜４３  基台
Ｇ      重心
【図１】
0005690084.tif 000002
【図２】
0005690084.tif 000003
【図３】
0005690084.tif 000004
【図４】
0005690084.tif 000005
【図５】
0005690084.tif 000006
【図６】
0005690084.tif 000007
【図７】
0005690084.tif 000008
【図８】
0005690084.tif 000009
【図９】
0005690084.tif 000010
【図１０】
0005690084.tif 000011